(57)【要約】【課題】十分な量の携帯物品を収納でき、かつ携帯物品の出し入れがし易く、それと共に後方に転倒しにくいベビーカー用バッグと、その使用方法を提供する。【解決手段】ベビーカー５０の側部に沿って装着され、ベビーカー使用時の携帯物品を収納する前後方向に所要幅を有する収納部２と、装着状態における収納部２の上部に設けられて、当該上部をベビーカー側部の手前上部分に固定する第１固定手段３と、装着状態における収納部２の前部に設けられて、当該前部をベビーカー側部の前部分に固定する第２固定手段４とを備える、ベビーカー５０の側方に装着されるベビーカー用バッグ１とする。【選択図】図２
2019112052.tif 000002
【特許請求の範囲】
【請求項１】
ベビーカーの側部に沿って装着され、ベビーカー使用時の携帯物品を収納する前後方向に所要幅を有する収納部と、
装着状態における前記収納部の上部に設けられて、当該上部をベビーカー側部の手前上部分に固定する第１固定手段と、
装着状態における前記収納部の前部に設けられて、当該前部をベビーカー側部の前部分に固定する第２固定手段と、を備える、ベビーカーの側方に装着されるベビーカー用バッグ。
【請求項２】
前記収納部が、前方へ向かうに従って下方へ傾斜する前フレームを有するベビーカーの側部形状に沿って、下方に向かうに従って幅広となるように形成されており、
前記第２固定手段が、ベビーカー側部の前方下部に固定可能に設けられている請求項１に記載のベビーカー用バッグ。
【請求項３】
前記収納部が、装着状態における当該収納部の後縁部をベビーカーハンドルに対応する前後方向位置に存在させるように形成されている請求項１又は２に記載のベビーカー用バッグ。
【請求項４】
前記収納部の側面に、前後方向に長い携帯物品の横出入口が形成されている請求項１〜３のいずれかに記載のベビーカー用バッグ。
【請求項５】
前記収納部の後縁部に、上下方向に長い携帯物品の後出入口が形成されている請求項１〜３のいずれかに記載のベビーカー用バッグ。
【請求項６】
前記第１固定手段が、ベビーカーハンドルに引っ掛けて前記収納部をベビーカーの側方で吊り下げる紐部材を有している請求項１〜５のいずれかに記載のベビーカー用バッグ。
【請求項７】
請求項１〜６のいずれかに記載のベビーカー用バッグの使用方法であって、
前記第１固定手段で前記収納部の上部をベビーカー側部の手前上部分に固定すると共に、前記第２固定手段で当該収納部の前部をベビーカー側部の前部分に固定して、当該収納部をベビーカーの側方に装着し、ベビーカーの側方で携帯物品を当該収納部に出し入れするベビーカー用バッグの使用方法。
【発明の詳細な説明】
【技術分野】
【０００１】
本発明は、ベビーカーの側方に装着する利便性の高いベビーカー用バッグとその使用方法に関するものである。
【背景技術】
【０００２】
乳幼児を散歩や買物等のために屋外に連れ出す場合にベビーカーが使用される。ベビーカーの使用者である保護者が、乳幼児を屋外に連れ出す際には乳幼児のおむつや飲料品、食料品、衣類などの多くの携帯物品が必要となる。ベビーカーを押さなければならない保護者が、これらの携帯物品を自身で長時間保持するには大きな労力を要するうえ、乳幼児のケアにも影響が生じる。そのため、ベビーカーの背面部のハンドル等に袋やカゴを吊り下げて、携帯物品をそこへ収納することが行われている。しかしベビーカーの背面部へ袋等を吊り下げた場合、少ない力でもベビーカーが後方に転倒し易くなるため安定感が低く、保護者はより注意を要することになる。
【０００３】
特許文献１には、ベビーカーの座部の下側に設けられ、上部開口縁部に調節紐を設けたベビーカー用かごが記載されている。特許文献２には、ベビーカーのハンドルに吊り下げ、ベビーカー前下方部のフレームの左右に固定する、転倒しにくいベビーカー用バッグが記載されている。
【先行技術文献】
【特許文献】
【０００４】
【特許文献１】特開２００３−５４４１４号公報
【特許文献２】特開２０１３−１８０７４７号公報
【発明の概要】
【発明が解決しようとする課題】
【０００５】
特許文献１のベビーカー用カゴでは、カゴを座部の下側に設置するものであるためベビーカーの安定感は生じるものの、保護者は携帯物品を出し入れする度に膝を最大まで屈曲させて屈まなくてはならず、また座部とカゴ開口部との隙間から携帯物品を入れすることになるため、非常に利便性が低い。
【０００６】
特許文献２のベビーカー用バッグを用いた場合、バッグの一端部をベビーカー前下方部のフレームの左右に固定するものであり、座部の背面から下面に渡って携帯物品が収納される。座部やこれを支持するフレームは後方斜め下側に向かって膨らんでおり、この膨らみがあるため十分な量の携帯物品を収納できない。携帯物品を出し入れするとき、ベビーカーから体を離した状態で若干、屈んだ体勢をとるため、ハンドルに下方への力がかかりやすい。その際、ベビーカーを転倒させないようにするために保護者に無理な体勢を強いることになる。更に、携帯物品が多くなって嵩が増せば、ハンドルに大きな力がかかることになり、後方に転倒し易く安定性が低くなるといった問題がある。
【０００７】
本発明は従来技術の問題点に鑑み、十分な量の携帯物品を収納でき、かつ携帯物品の出し入れがし易く、それと共に後方に転倒しにくいベビーカー用バッグと、その使用方法を提供することを目的とする。
【課題を解決するための手段】
【０００８】
本発明のベビーカー用バッグは、ベビーカーの側部に沿って装着され、ベビーカー使用時の携帯物品を収納する前後方向に所要幅を有する収納部と、装着状態における前記収納部の上部に設けられて、当該上部をベビーカー側部の手前上部分に固定する第１固定手段と、装着状態における前記収納部の前部に設けられて、当該前部をベビーカー側部の前部分に固定する第２固定手段と、を備える、ベビーカーの側方に装着されるベビーカー用バッグである。
【０００９】
本発明のベビーカー用バッグでは、収納部が、ベビーカー側部の手前上部分に固定する第１固定手段と、ベビーカー側部の前部分に固定する第２固定手段とによって、ベビーカーの側部に沿って装着されるため、座部及びフレームの形状や大きさは収納部の収納量に影響せず、十分な量の携帯物品を収納できる。携帯物品を出し入れするとき、ベビーカーに体を密着させた状態で、ベビーカーの側方に手を伸ばすだけでいいので、ベビーカーを転倒させる心配がなく、保護者は無理な体勢をとらなくてもよい。携帯物品が多くなって嵩が増しても、その荷重はベビーカーの後方へはかからないため転倒しにくく、高い安定性を得ることができる。
【００１０】
例えば、前記収納部が、前方へ向かうに従って下方へ傾斜する前フレームを有するベビーカーの側部形状に沿って、下方に向かうに従って幅広となるように形成されており、前記第２固定手段が、ベビーカー側部の前方下部に固定可能に設けられているベビーカー用バッグとすればよい。
【００１１】
前記収納部が、装着状態における当該収納部の後縁部を前後方向におけるベビーカーハンドルに対応する位置に存在させるように形成されていることが好ましい。この場合、保護者の側方に収納部の後端がくるので、携帯物品を出し入れし易い。
【００１２】
前記収納部の側面に、前後方向に長い携帯物品の横出入口が形成されていることが好ましい。前記収納部の後縁に、上下方向に長い携帯物品の後出入口が形成されていることが好ましい。
【００１３】
前記第１固定手段が、ベビーカーハンドルに引っ掛けて前記収納部をベビーカーの側方で吊り下げる紐部材を有しているものとすれば、ベビーカー用バッグをベビーカーに装着し易くなる。
【００１４】
本発明のベビーカー用バッグの使用方法は、上記のいずれかに記載のベビーカー用バッグの使用方法であって、前記第１固定手段で前記収納部の上部をベビーカー側部の手前上部分に固定すると共に、前記第２固定手段で当該収納部の前部をベビーカー側部の前部分に固定して、当該収納部をベビーカーの側方に装着し、ベビーカーの側方で携帯物品を当該収納部に出し入れするベビーカー用バッグの使用方法である。
【００１５】
本発明のベビーカー用バッグの使用方法によれば、収納部が、ベビーカー側部の手前上部分に固定する第１固定手段と、ベビーカー側部の前部分に固定する第２固定手段とによって、ベビーカーの側部に沿って装着されるため、座部及びフレームの形状や大きさは収納部の収納量に影響せず、十分な量の携帯物品を収納できる。携帯物品を出し入れするとき、ベビーカーに体を密着させた状態で、ベビーカーの側方に手を伸ばすだけでいいので、ベビーカーを転倒させる心配がなく、保護者は無理な体勢をとらなくてもよい。携帯物品が多くなって嵩が増しても、その荷重はベビーカーの後方へはかからないため転倒しにくく、高い安定性を得ることができる。
【発明の効果】
【００１６】
本発明によれば、収納部がベビーカーの側部に沿って装着され、座部及びフレームの形状や大きさは収納部の収納量に影響せず、十分な量の携帯物品を収納できる。携帯物品を出し入れするとき、ベビーカーを転倒させる心配がなく、保護者は無理な体勢をとらなくてもよいため、携帯物品を出し入れし易い。携帯物品の荷重はベビーカーの後方へはかからないため転倒しにくく、高い安定性を得ることができる。
【図面の簡単な説明】
【００１７】
【図１】本発明の一実施形態に係る、ベビーカー用バッグの側面図である。
【図２】ベビーカー用バッグをベビーカーに装着した状態の斜視図である。
【図３】ベビーカー用バッグをベビーカーに装着した状態の後方図である。
【図４】ベビーカー用バッグをベビーカーに装着した状態の側方図である。
【図５】ベビーカー用バッグの使用状態図である。
【図６】ファスナーのつまみを逆側に設けた例を示す側面図である。
【図７】横出入口を水平方向に向けて形成した例を示す側面図である。
【図８】横出入口を逆側へ傾斜させて形成した例を示す側面図である。
【発明を実施するための形態】
【００１８】
本発明の一実施形態について説明する。図１は本発明の一実施形態に係るベビーカー用バッグ１の側面図であり、図２はベビーカー用バッグ１をベビーカー５０に装着した状態の斜視図である。ベビーカー用バッグ１は、ベビーカー５０の側部に沿って装着され、ベビーカー使用時の携帯物品を収納する前後方向に所要幅を有する収納部２と、装着状態における収納部２の上部に設けられて、当該上部をベビーカー側部の手前上部分に固定する第１固定手段３と、装着状態における収納部２の前部に設けられて、当該前部をベビーカー側部の前部分に固定する第２固定手段４とを備えている。
【００１９】
図２に示すベビーカー５０は、乳幼児を散歩や買物等のために屋外に連れ出すものであり、乳幼児を寝かせた姿勢や座らせた姿勢で使用することができる。保護者が乳幼児を屋外に連れ出す際には、乳幼児のおむつや飲料品、食料品、衣類などの多くの携帯物品が必要となる。ベビーカー５０は、乳幼児を座らせる座部５１、この座部５１を支持するフレーム５２、フレーム５２に取り付けられた車輪などからなる。ベビーカーの種類は限定されず、例えば座部の高さがより高い、Ｂ型と呼ばれるハイシートタイプのもの含まれる。ここでハイシートタイプとは、ベビーカーを使用状態としたときに、地面から座部までの高さが例えば５０ｃｍ以上に設定されたもの等を意味する。
【００２０】
フレーム５２の後部にはハンドル５３が設けられている。フレーム５２の前部には、フロントガード５４などが設けられている。フレーム５２の一部を構成する前フレーム５６は、前方へ向かうに従って下方へ傾斜している。
【００２１】
収納部２は全体として携帯物品を入れる袋状となっており、前フレーム５６を有するベビーカー５０の側部形状に沿って、下方に向かうに従って幅広となるように形成されている。収納部２は２枚の布地２ｎが縫い合わされて形成されたものであり、これらの縫い目部分が上縁部２ａ、後縁部２ｂ、底縁部２ｃ、前縁部２ｄ及び傾斜部２ｅで構成されている。本実施形態のベビーカー用バッグ１の傾斜部２ｅの傾斜角度θ１は５０°程度である。傾斜部２ｅの傾斜角度θ１は限定されず、ベビーカー５０の前フレーム５６の角度に対応させて変更すればよい。
【００２２】
収納部２は表裏対照的に構成されており、図１の側面に表れているものと同じものがその裏側の側面にも構成されている。本実施形態では収納部２を表裏対称的に構成しているが、図１に図示しているものを片側のみに構成してもよい。収納部２の上縁部２ａの近傍には、水平方向に沿って延びるファスナーポケット５が形成されている。このファスナーポケット５は、収納部２の一部を裁断し、そこへファスナーを縫い付けることで構成されている。ファスナーポケット５によって、携帯物品を収納部２の上部から出し入れすることができる。なお、ファスナーポケット５は構成されていなくてもよい。
【００２３】
収納部２の側面に、前後方向に長い携帯物品の横出入口６が形成されている。この横出入口６は、収納部２の一部を裁断し、そこへファスナーを縫い付けることで構成されている。本実施形態の横出入口６は、前方へ向かうに従って下方へ傾斜している。本実施形態の横出入口の傾斜角度θ２は１５°程度であり、５°〜３０°が好ましく、１０°〜２０°がより好ましい。
【００２４】
本実施形態の横出入口６の長さは４０ｃｍ程度であり、２０ｃｍ〜５０ｃｍが好ましい。横出入口６の前端の、底縁部２ｃからの高さｈ１は２２ｃｍ程度であり、１５ｃｍ〜３５ｃｍが好ましい。横出入口６の後端の、底縁部２ｃからの高さｈ２は３０ｃｍ程度であり、２０ｃｍ〜５０ｃｍが好ましい。
【００２５】
収納部２の側面には、更にポケット７が構成されており、ペットボトルなどの飲料ボトルを入れることができる。図２及び図３のように、収納部２の後縁部には、上下方向に長い携帯物品の後出入口８が構成されている。なお収納部２の後縁部に、このような後出入口を構成しないものであってもよい。なお、ポケット７は構成されていなくてもよい。
【００２６】
図４に示すように収納部２は、装着状態における当該収納部２の後縁部２ｂをハンドル５３に対応する前後方向位置に存在させるような前後方向幅で形成されている。図１のように第１固定手段３は、紐部材１０の両端部を収納部２の上縁部に連結することで構成されている。紐部材１０の一端部にフック１１が設けられており、当該一端部が取り外し可能となっている。
【００２７】
保護者は、第１固定手段３の紐部材１０を、図３のようにハンドル５３に引っ掛けることで、収納部２をベビーカー５０の側方で吊り下げることができる。紐部材１０の長さは調節自在となっており、吊り下げる高さや、ハンドル５３の横幅に合わせて変更することができる。更に図３に示すように、紐部材１０の中途部をハンドル５３に引っ掛けておく、引掛部材１８が設けられている。この引掛部材１８を用いれば、紐部材１０が所定の位置で止まり、収納部２が下方に下がり過ぎるのを防ぐことができる。また、このような引掛部材１８を用いずに、紐部材１０に設けられたフック１１のロックを一旦解除し、紐部材１０の一部をベビーカー用バッグ１と反対側のハンドル５３に巻き付け、フック１１のロックを行うようにしてもよい。この場合にも、同様に紐部材１０が所定の位置で止まり、収納部２が下方に下がり過ぎるのを防ぐことができる。
【００２８】
第２固定手段４は、収納部２の前縁部２ｄに切離自在な着脱部材１３を設けることで構成されている。第２固定手段４が収納部２の前縁部２ｄに設けられていることで、図２のように第２固定手段４をベビーカー側部の前部分の下部に固定可能となっている。
【００２９】
収納部２の傾斜部２ｅに、更に２本の紐からなる補助固定手段１５が設けられている。この補助固定手段１５で収納部２の傾斜部２ｅを前フレーム５６に固定することで、収納部２の装着安定性を高めることができる。収納部２の上縁部２ａの内部には、当該上縁部２ａの折れを防ぐ、直線状の芯材１６が内蔵されている。図４のように収納部２の後縁部２ｂが、ハンドル５３に対応する前後方向位置に存在し、後フレームよりも後方にはみ出している場合、収納部２の上縁部２ａが内側に折れようとする。芯材１６の存在によって収納部２の上縁部２ａは折れ曲がらず収納部２の形状が保たれ、そのためベビーカー用バッグ１が保護者の歩行の邪魔にならず、更にファスナーの開閉がスムーズになる。ファスナーポケット５が構成されていない場合、芯材１６は設けなくてもよい。
【００３０】
以上のような構成によって、ベビーカー用バッグ１がベビーカー５０の側部に装着される。このようなベビーカー用バッグ１によって、第１固定手段３で収納部２の上部をベビーカー側部の手前上部分に固定すると共に、第２固定手段４で当該収納部２の前部をベビーカー側部の前部分に固定して、当該収納部２をベビーカー５０の側方に装着し、ベビーカー５０の側方で携帯物品を当該収納部２に出し入れするベビーカー用バッグの使用方法が実施できる。
【００３１】
本実施形態のベビーカー用バッグ１によれば、収納部２が、ベビーカー側部の手前上部分に固定する第１固定手段３と、ベビーカー側部の前部分に固定する第２固定手段４とによって、ベビーカー５０の側部に沿って装着されるため、座部５１及びフレーム５２の形状や大きさは収納部２の収納量に影響せず、十分な量の携帯物品を収納できる。図５のように、携帯物品を出し入れするとき、保護者１００はベビーカー５０に体を密着させた状態で、ベビーカー５０の側方に手１０１を伸ばすだけでいいので、ベビーカー５０を転倒させる心配がない。そのため、保護者は無理な体勢をとらなくてもよく、携帯物品の出し入れがし易い。携帯物品が多くなって嵩が増しても、その荷重はベビーカー５０の後方へはかからないため転倒しにくく、高い安定性を得ることができる。
【００３２】
収納部２が、装着状態における当該収納部２の後縁部２ｂを前後方向におけるハンドル５３に対応する位置に存在させるように形成されている。そのため保護者の側方に収納部２の後端部２ｂがくるので、携帯物品を出し入れがし易い。
【００３３】
収納部２の側面に、前後方向に長い携帯物品の横出入口６が形成され、更に収納部２の後縁部２ｂにも、上下方向に長い携帯物品の後出入口８が形成されているため、側方及び後方から携帯物品を出し入れすることができ、高い利便性を得ることができる。収納部２の後縁部２ｂに沿って上下方向に長い後出入口８を形成することで、収納部２の後縁部２ｂを全開に近い状態にして乳幼児のおむつ等の嵩張る携帯物品を無理なく出し入れできる。
【００３４】
第１固定手段３が、ハンドル５３に引っ掛けて収納部２をベビーカー５０の側方で吊り下げる紐部材１０を有しているため、ベビーカー用バッグ１をベビーカー５０に装着し易くすることができる。紐部材１０を引っ掛けて使用するこのような第１固定手段３の採用により、収納部２を簡単かつ安定的に装着できる。
【００３５】
上記実施形態のベビーカー用バッグ１及びその使用方法は例示であって制限的なものではない。本発明のベビーカー用バッグが適用されるベビーカーの形状、型式は限定されない。ベビーカー用バッグをベビーカーに装着したままでも、ベビーカーを折りたたむことが可能である。収納部の形状、大きさは、ベビーカーの形態に合わせて適宜変更すればよい。第１及び第２固定手段、補助固定手段の取付箇所及び形態は限定されない。横出入口、後出入口を、例えば面ファスナーを用いて開閉自在としてもよい。収納部に他の固定手段を設けて、ベビーカーに装着するようにしてもよい。説明した構成及び部材は本発明の効果を損なわない限りにおいて変更可能であり、必要に応じて設けられる他の構成及び部材の形態も限定しない。
【００３６】
図６はファスナーのつまみを逆側に設けた例を示す側面図である。この例では、ファスナーポケット５のファスナー２０が、閉じた状態でファスナーつまみ２０を後側とするように取り付けられている。横出入口６のファスナー２０が、閉じた状態でファスナーつまみ２０を後側とするように取り付けられている。このようにすることで、ファスナー２０の閉じた状態を確認し易く、閉め忘れを防ぐことができる。
【００３７】
横出入口を設ける方向を変更してもよい。図７は横出入口６０を水平方向に向けて形成した例を示す側面図であり、図８は横出入口６１を後方へ向かうに従って下方へ傾斜させた例を示す側面図である。
【００３８】
ファスナーポケット及びポケットを構成せずに、横出入口のみを設けるようにしてもよい。ファスナーポケット、ポケット、横出入口及び後出入口の有無、形状、開閉手段は適宜、変更可能である。
【符号の説明】
【００３９】
１  ベビーカー用バッグ
２  収納部
３  第１固定手段
４  第２固定手段
５  ファスナーポケット
６  横出入口
７  ポケット
８  後出入口
１０  紐部材
１５  補助固定手段
１６  芯材
１８  引掛部材
θ１  傾斜部の傾斜角度
θ２  横出入口の傾斜角度
ｈ１、ｈ２  高さ
５０  ベビーカー
５３  ハンドル
５６  前フレーム
２０  ファスナー
２１  ファスナーつまみ
６０、６１  横出入口
１００  保護者
１０１  手
【図１】
2019112052.tif 000003
【図２】
2019112052.tif 000004
【図３】
2019112052.tif 000005
【図４】
2019112052.tif 000006
【図５】
2019112052.tif 000007
【図６】
2019112052.tif 000008
【図７】
2019112052.tif 000009
【図８】
2019112052.tif 000010